(57)【要約】【課題】水面付近でも水滴による影響を受けない防水ハウジングシステム及び防水ハウジングを提供する。【解決手段】被写体光束を通過させるフィルタ１３と、フィルタ１３を振動させ水滴を飛散させるための圧電素子１４と、防水ハウジング１０内に収納され、圧電素子１４を振動させるための圧電素子駆動回路３１５と、防水ハウジング１０内に収納可能な、圧電素子駆動回路３１５に駆動を開始させるためのカメラ本体２００とを有する。【選択図】  図１
2010271435.tif 000002
【特許請求の範囲】
【請求項１】
防水ハウジングシステムにおいて、
被写体光束を通過させる透明窓と、
上記透明窓を振動させ水滴を飛散させるための加振手段と、
上記ハウジング内に収納され、上記加振手段を振動させるための駆動回路手段と、
上記ハウジング内に収納され、上記駆動回路手段に駆動を開始させるためのカメラと、
を具備することを特徴とする防水ハウジングシステム。
【請求項２】
上記透明窓は加振手段である圧電素子が固着され、該圧電素子が振動することにより上記透明窓が屈曲振動することを特徴とする請求項１に記載の防水ハウジングシステム。
【請求項３】
上記透明窓は、上記カメラの状態に合わせて自動的に振動する第１の振動タイミングと、外部からの任意の操作に連動して振動する第２の振動タイミングとを有することを特徴とする請求項１に記載の防水ハウジングシステム。
【請求項４】
上記カメラは自動焦点調節機能を有し、上記カメラが被写体に対し合焦したと判断したとき上記加振手段を駆動することを特徴とする請求項１に記載の防水ハウジングシステム。
【請求項５】
上記加振手段の駆動は上記ハウジングの外部からの操作により任意に駆動されることを特徴とする請求項１に記載の防水ハウジングシステム。
【請求項６】
上記カメラには合焦動作を開始する第１のレリーズ手段と、露光を開始する第２のレリーズ手段を有し、上記加振手段の駆動中に、上記第２のレリーズ手段が動作すると上記加振手段の加振を停止し、露光を開始することを特徴とする請求項１乃至５に記載の防水ハウジングシステム。
【請求項７】
上記カメラは露光を開始する第２のレリーズ手段を有し、上記第２のレリーズ手段の動作に応じた可動ミラーおよび／または絞りの動作中に、上記加振手段の加振を行うことを特徴とする請求項１乃至５に記載の防水ハウジングシステム。
【請求項８】
防水ハウジングにおいて、
被写体光束を通過させる透明窓と、
上記透明窓を振動させ水滴を飛散させるための加振手段と、
を具備することを特徴とする防水ハウジング。
【請求項９】
上記防水ハウジングは、さらに上記ハウジング内に収納されたカメラから出力される上記加振手段を駆動させる信号を受けて上記加振手段を駆動するための上記ハウジング内に収納された駆動回路手段を具備することを特徴とする上記請求項８に記載の防水ハウジング。
【発明の詳細な説明】
【技術分野】
【０００１】
本発明は、防水ハウジングシステム及び防水ハウジングに関し、詳しくは、水滴除去機能を有する防水ハウジングシステム及び防水ハウジングに関する。
【背景技術】
【０００２】
カメラ等の撮影機器の被写体光束の透過部に水滴が付着すると、画質が劣化することから、水滴を除去してから撮影するのが一般的である。特に、防水プロテクタを装着して撮影する場合には、水上と水中の境界付近においては水滴が付着しやすく、水滴を除去することは大変であり、また除去しても再び付着してしまう。
【０００３】
水滴を除去する技術は、従来より種々提案されており、例えば、特許文献１には、撥水性の膜を形成した透過面を振動器によって振動させることにより、水滴を飛散させる車両周辺視認装置が開示されている。また、特許文献２にはカメラのフィルタに超音波発生装置を配設しておき、降雨時等に超音波を発生させることにより、水滴やほこり等が付着しないようにしたカメラが開示されている。
【先行技術文献】
【特許文献】
【０００４】
【特許文献１】特開２００２−７９８８０号公報
【特許文献２】特開昭５７−７８０３２号公報
【発明の概要】
【発明が解決しようとする課題】
【０００５】
特許文献１に開示される車両周辺視認装置は、水面と水中の境界付近での撮影を行うものではない。また、特許文献２に開示されるようなカメラにおいて、水面と水中の境界付近での撮影にあたって防水プロテクタを使用する場合、カメラのフィルタに水滴除去機能が設けられていたとしても、防水プロテクタの透明窓に付着した水滴を除去するには拭き取るしかなく面倒であった。
【０００６】
本発明は、このような事情を鑑みてなされたものであり、水面付近でも水滴による影響を受けない防水ハウジングシステム及び防水ハウジングを提供することを目的とする。
【課題を解決するための手段】
【０００７】
上記目的を達成するため第１の発明に係わる防水ハウジングシステムは、被写体光束を通過させる透明窓と、上記透明窓を振動させ水滴を飛散させるための加振手段と、上記ハウジング内に収納され、上記加振手段を振動させるための駆動回路手段と、上記ハウジング内に収納され、上記駆動回路手段に駆動を開始させるためのカメラと、を具備する。
【０００８】
第２の発明に係わる防水ハウジングシステムは、上記第１の発明において、上記透明窓は加振手段である圧電素子が固着され、該圧電素子が振動することにより上記透明窓が屈曲振動する。
第３の発明に係わる防水ハウジングシステムは、上記第１の発明において、上記透明窓は、上記カメラの状態に合わせて自動的に振動する第１の振動タイミングと、外部からの任意の操作に連動して振動する第２の振動タイミングとを有する。
【０００９】
第４の発明に係わる防水ハウジングシステムは、上記第１の発明において、上記カメラは自動焦点調節機能を有し、上記カメラが被写体に対し合焦したと判断したとき上記加振手段を駆動する。
第５の発明に係わる防水ハウジングシステムは、上記第１の発明において、上記加振手段の駆動は上記ハウジングの外部からの操作により任意に駆動される。
【００１０】
第６の発明に係わる防水ハウジングシステムは、上記第１乃至第５の発明において、上記カメラには合焦動作を開始する第１のレリーズ手段と、露光を開始する第２のレリーズ手段を有し、上記加振手段の駆動中に、上記第２のレリーズ手段が動作すると上記加振手段の加振を停止し、露光を開始する。
第７の発明に係わる防水ハウジングシステムは、上記第１乃至第５の発明において、上記カメラは露光を開始する第２のレリーズ手段を有し、上記第２のレリーズ手段の動作に応じた可動ミラーおよび／または絞りの動作中に、上記加振手段の加振を行う。
【００１１】
第８の発明に係わる防水ハウジングは、被写体光束を通過させる透明窓と、上記透明窓を振動させ水滴を飛散させるための加振手段と、を具備する。
第９の発明に係わる防水ハウジングは、上記第８の発明において、上記防水ハウジングは、さらに上記ハウジング内に収納されたカメラから出力される上記加振手段を駆動させる信号を受けて上記加振手段を駆動するための上記ハウジング内に収納された駆動回路手段を具備する。
【発明の効果】
【００１２】
本発明によれば、水面付近でも水滴による影響を受けない防水ハウジングシステム及び防水ハウジングを提供することができる。
【図面の簡単な説明】
【００１３】
【図１】本発明の一実施形態に係わる防水ハウジングシステムの構成を示す図であって、（ａ）はカメラの光軸方向に沿っての断面図であり、（ｂ）は背面側から見た透視図であり、（ｃ）は（ａ）の一部断面拡大図である。
【図２】本発明の一実施形態に係わる防水ハウジングシステム内に収納されるデジタルカメラの光軸方向に沿っての断面図である。
【図３】本発明の一実施形態に係わる防水ハウジングシステム内に収納されるデジタルカメラの背面図である。
【図４】本発明の一実施形態に係わる防水ハウジングシステム内に収納されるデジタルカメラの変形例に係わるファンクションスイッチの切り替えを説明する図である。
【図５】本発明の一実施形態における防水ハウジングシステムの電気回路を示すブロック図である。
【図６】本発明の一実施形態に係わる防水ハウジング内の圧電素子駆動回路とその周辺回路の回路構成を示す回路図である。
【図７】本発明の一実施形態における防水ハウジング内の圧電素子駆動回路とその周辺回路の動作を説明するための図６の各部における信号波形を表すタイミングチャート図である。
【図８】本発明の一実施形態における防水ハウジングシステムの動作を示すフローチャートである。
【図９】本発明の一実施形態における防水ハウジングシステムの動作を示すタイミングチャートである。
【図１０】本発明の一実施形態における防水ハウジングシステムの動作を示すタイミングチャートである。
【図１１】本発明の一実施形態における防水ハウジングシステムの変形例の動作を示すフローチャートである。
【発明を実施するための形態】
【００１４】
以下、図面に従って本発明を適用した防水ハウジングとデジタルカメラとからなる防水ハウジングシステムを用いて好ましい一実施形態について説明する。図１は、本発明の一実施形態に係わる防水ハウジングシステムの構成を示す図であり、図１（ａ）はカメラの光軸方向に沿っての断面図であり、図１（ｂ）は背面側から見た透視図であり、図１（ｃ）は図１（ａ）における部分Ａの断面拡大図である。
【００１５】
防水ハウジング１０は、ボディ部ハウジング１１とレンズ部ハウジング１２とから構成されている。また、この防水ハウジング１０内には、レンズ鏡筒１００とカメラ本体２００とから構成されているデジタルカメラが収納可能となっている。ボディ部ハウジング１１内には、ほぼカメラ本体２００が収納可能であり、レンズ部ハウジング１２内には、ほぼレンズ鏡筒１００が収納可能である。
【００１６】
カメラ本体２００は、図１（ｂ）に示すように複数の支持部１８によって、ボディ部ハウジング１１内で固定されている。また、ボディ部ハウジング１１の上面には、レリーズ釦１７が配置されている。このレリーズ釦１７は、図１（ｂ）に示すように、カメラ本体２００の上面に設けられたレリーズ釦６１に連動しており、レリーズ釦１７を押圧すると、カメラ本体２００のレリーズ釦６１も押圧される。
【００１７】
カメラ本体２００の上面には、図３に示すように、パワースイッチ２５７が設けられている。また、カメラ本体２００の背面の上部には水滴除去スイッチ２５６が配置されており、この水滴除去スイッチ２５６は、図１（ａ）に示すように、ボディ部ハウジング１１の背面側に配置されたプロテクタ水滴除去スイッチ１６に連動している。したがって、プロテクタ水滴除去スイッチ１６を押圧すると、カメラ本体の水滴除去スイッチ２５６も押圧される。
【００１８】
ボディ部ハウジング１１の側部には、駆動回路基板１５が配置されており、カメラ本体２００の通信接点３０１（図５参照）と接続されている。この駆動回路基板１５には、プロテクタＣＰＵ３１０等（図５参照）の電気回路が配設されている。
【００１９】
レンズ部ハウジング１２の先端側には、光学的に透明なフィルタ１３が配置されており、このフィルタ１３の周縁部に圧電素子１４が固着されている。すなわち、図１（ｃ）に示すように、フィルタ１３は、レンズ部ハウジング１２とフィルタ押さえリング１９の間にゴム２０ａ、２０ｂによって挟着されており、ゴム２０ａとの圧着面に圧電素子１４が固着されている。この圧電素子１４は駆動回路基板１５内の圧電素子駆動回路３１５（図５参照）に接続されており、圧電素子１４が超音波周波数で振動すると、フィルタ１３が屈曲運動し、表面に振動波が生じ、この振動波によって、水滴や塵埃等が除去される。
【００２０】
なお、本実施形態においては、水滴除去動作は、プロテクタ水滴除去スイッチ１６、水滴除去スイッチ２５６を押圧することによって実行されるが、変形例として、専用釦を設けずに、ファンクション釦に水滴除去の機能を割りつけるようにしても良い。すなわち、図３の水滴除去スイッチ２５６をファンクション釦とし、このファンクション釦を操作するたびに、図４に示すように、プレビュー（＃１０１）、ワンタッチホワイトバランス（ＷＢ）（＃１０３）、試し撮り撮影（＃１０５）、水滴除去（＃１０７）、オフ（＃１０９）と順次、切り換わるようにしておく。ユーザは、表示部を見ながら、ファンクション釦を操作し、水滴除去モードを設定すれば良い。
【００２１】
次に、レンズ鏡筒１００とカメラ本体２００からなる本実施形態に係わるデジタルカメラの構成について、図２を用いて説明する。レンズ鏡筒１００はカメラ本体２００に対して着脱自在に構成されている。レンズ鏡筒１００内には、図２に示すように、第１群レンズ１０１ａと第２群レンズ１０１ｂとから構成される撮影光学系１０１が配置されている。第１群レンズ１０１ａの内のレンズであって、被写体光束の結像にあたって妨げとならない位置に圧電素子１０５が固着されている。レンズ鏡筒１００内には、図５において説明するように、種々の電気回路が配置されており、これらの電気回路を収納するレンズ基板１１０が配置されている。
【００２２】
レンズ鏡筒１００の内部に配置された撮影光学系１０１の光軸上であって、カメラ本体２００のミラーボックス内には、可動反射ミラー２０１が配置されている。この可動反射ミラー２０１は、被写体光束をペンタプリズム２０４等のファインダ光学系に反射するために撮影光学系１０１の光軸に対して４５度傾いた反射位置と、被写体像を撮像素子ユニット２２４（図５参照）中の撮像素子２１１に導くために、撮影光路から退避した退避位置とに回動可能となっている。
【００２３】
可動反射ミラー２０１の回動軸は図２の紙面に対して垂直方向に沿っている。この可動反射ミラー２０１によって、上方に被写体光束を反射する。なお、本実施形態では、上方に反射しているが、これに限らず、カメラ本体の右方でも左方でも、被写体光束の反射方向は機構部材や光学部材の配置上、最も適切になるように選択してよい。
【００２４】
可動反射ミラー２０１の反射光軸上にフォーカシングスクリーン２０３が配置されている。これは撮影光学系１０１による被写体光束を結像させるための結像面であり、可動反射ミラー２０１からの距離が撮像素子２１１と等価な位置に配設されている。フォーカシングスクリーン２０３の上方には、被写体像を左右反転させるためのペンタプリズム２０４が配置されている。ペンタプリズム２０４の後方には、接眼光学系２０５が配置されており、撮影者は接眼部側から接眼光学系２０５を覗いて被写体像の確認を行うことができる。
【００２５】
可動反射ミラー２０１の中央付近はハーフミラーで構成されており、この可動反射ミラー２０１の背面には、ハーフミラー部を透過した被写体光束を反射するための測距用のサブミラー２０２が設けられている。このサブミラー２０２は、可動反射ミラー２０１に対して回動可能であり、可動反射ミラー２０１が撮影光路から退避し、被写体光束が撮像素子２１１に入射しているときには、ハーフミラー部を覆う位置に回動し、可動反射ミラー２０１が図示の如き被写体像観察位置（挿入状態）にあるときには、可動反射ミラー２０１に対して起き上がって開となり測距ユニット２１７に被写体光束の一部を反射可能となる位置にある。
【００２６】
サブミラー２０２の反射光路上に測距用センサを含むＴＴＬ位相差方式の測距ユニット２１７が配置されており、測距ユニット２１７によって、撮影光学系１０１によって結像される被写体像の焦点ズレ方向と焦点ズレ量を検出する。
【００２７】
可動反射ミラー２０１の後方には、フォーカルプレーンタイプのシャッタ２１３が配置されている。シャッタ２１３の後方であって、撮影光学系１０１の光軸上には、防塵フィルタ２０７、光学的ローパスフィルタ２０９、赤外カットフィルタ２１０、撮像素子２１１が順次、配置されている。防塵フィルタ２０７の周縁部付近には圧電素子２０８が固着されており、超音波振動によって防塵フィルタ２０７に付着した塵埃を除去する。光学ローパスフィルタ２０９は被写体光束から撮像にあたって有害な高周波成分を除去し、また赤外カットフィルタ２１０は被写体光束から赤外光成分を除去する。撮像素子２１１は、撮影光学系１０１によって結像された被写体像を電気信号に光電変換する。
【００２８】
撮像素子２１１の背面側には図５を用いて説明する電気回路等が配設された本体基板２７が配置されている。また、カメラ本体２００の背面であってユーザが観察しやすい位置に液晶モニタ２６が配置されている。液晶モニタ２６はライブビュー表示、記録済みの画像データの再生表示および各種メニューモード等の各種表示を行う。なお、液晶モニタ２６はカメラ本体２００の背面に配置されるが、撮影者が観察できる位置であれば、背面に限らないし、また液晶に限らず有機ＥＬディスプレイ等、他の表示装置でも構わない。さらに、固定式に限らず、可動式のモニタであってもよい。
【００２９】
カメラ本体２００の前方上部には、被写体の補助照明用の内蔵フラッシュ６０が配置されている。内蔵フラッシュ６０は、発光部がカメラ本体２００内に収納された収納状態（図２参照）と、発光部が被写体側に向けて起き上った状態となるポップアップ状態とに切り換えられる。
【００３０】
次に、図５を用いて、本実施形態におけるレンズ鏡筒１００とカメラ本体２００とからなるデジタルカメラ、および防水ハウジング１０とからなる防水ハウジングシステムの電気回路について説明する。レンズ鏡筒１００の内部には、前述したように焦点調節および焦点距離調節用の撮影光学系１０１を構成する第１群および第２群レンズ１０１ａ、１０１ｂと、開口量を調節するための絞り１０３が配置されており、第１群レンズ１０１ａの最前面のレンズ１０１ａには圧電素子１０５（図２参照）が固着されている。なお、絞り１０３は、第１群レンズ１０１ａと第２群レンズ１０１ｂの中間に配置しているが、絞り１０３の位置は適宜変更しても良い。
【００３１】
第１群および第２群レンズ１０１ａ、１０１ｂの内のフォーカスレンズやズームレンズは光学系駆動機構１０７によって駆動され、絞り１０３は絞り駆動機構１０９によって駆動される。圧電素子１０５（図２参照）には、図示しない圧電素子駆動回路によって駆動信号が供給され、圧電素子１０５は振動する。なお、この圧電素子駆動回路は、図６に示す回路と同様である。
【００３２】
光学系駆動機構１０７、および絞り駆動機構１０９はそれぞれレンズＣＰＵ１１１に接続されており、このレンズＣＰＵ１１１は通信接点３００を介してカメラ本体２００に接続されている。レンズＣＰＵ１１１はレンズ鏡筒１００内の制御を行うものであり、光学系駆動機構１０７を制御してピント合わせや、ズーム駆動を行うとともに、絞り駆動機構１０９を制御して絞り値制御を行う。また、図示しない圧電素子駆動回路を制御して、レンズ１０１ａを振動させ、超音波振動波によって塵埃や水滴等を除去する。なお、光学系駆動機構１０７および絞り駆動機構１０９の電気回路の部分、圧電素子駆動回路およびレンズＣＰＵ１１１等は、前述のレンズ基板１１０（図１参照）内に配設されている。
【００３３】
カメラ本体２００内には、前述したように、被写体像を観察光学系に反射するために撮影光学系１０１の光軸に対して４５度傾いた位置と、被写体像を撮像素子２１１に導くために跳ね上がった位置との間で、回動可能な可動反射ミラー２０１が設けられている。この可動反射ミラー２０１の上方には、被写体像を結像するためのフォーカシングスクリーン２０３が配置され、このフォーカシングスクリーン２０３の上方には、被写体像を左右反転させるためのペンタプリズム２０４が配置されている。
【００３４】
ペンタプリズム２０４の出射側(図５で右側)には被写体像観察用の接眼光学系２０５が配置され、この脇であって被写体像の観察に邪魔にならない位置に測光センサ２０６が配置されている。この測光センサ２０６は被写体像を分割して測光する多分割測光素子で構成されている。測光センサ２０６の出力は、測光処理回路２１２に接続されており、測光処理回路２１２は測光センサ２０６の出力に基づいて、被写体輝度に応じた被写体輝度信号を出力する。
【００３５】
上述の可動反射ミラー２０１の中央付近はハーフミラーで構成されており、この可動反射ミラー２０１の背面には、前述したように回動可能なサブミラー２０２が設けられている。可動反射ミラー２０１は可動ミラー駆動機構２２２によって駆動されている。
【００３６】
サブミラー２０２の下方には測距ユニット２１７が配置されており、測距ユニット２１７は、測距センサ２１８と、この出力が接続された測距回路２１９から構成される。測距センサ２１８と測距回路２１９によって、撮影光学系レンズ１０１によって結像される被写体像の焦点ズレ方向と焦点ズレ量を、所謂位相差法によって測定することができる。
【００３７】
可動反射ミラー２０１の後方には、前述したように、露光時間制御用のフォーカルプレーンタイプのシャッタ２１３が配置されており、このシャッタ２１３はシャッタ駆動機構２２１によって駆動制御される。シャッタ２１３の後方には撮像素子２１１が配置されており、撮影光学系１０１によって結像される被写体像を電気信号に光電変換する。なお、撮像素子２１１としては、ＣＣＤ（Charge Coupled Devices）や、ＣＭＯＳ（Complementary Metal Oxide Semiconductor）等の二次元固体撮像素子を使用することができる。
【００３８】
上述のシャッタ２１３と撮像素子２１１の間には、除塵機構を構成する防塵フィルタ２０７とこの防塵フィルタ２０７の周縁部に接着もしくは圧接された圧電素子２０８が配置されている。この圧電素子２０８は、圧電素子駆動回路２２０に接続されており、この圧電素子駆動回路２２０から駆動信号を受け超音波で振動し、防塵フィルタ２０７に付着した塵埃等を除去する。圧電素子駆動回路２２０の詳細は図６を用いて後述する。
【００３９】
防塵フィルタ２０７と撮像素子２１１との間には、被写体像の高周波成分をカットし、低周波のみを通過させるための光学的ローパスフィルタ２０９と、赤外光成分をカットする赤外カットフィルタ２１０とが配置されている。これらの防塵フィルタ２０７、圧電素子２０８、ローパスフィルタ２０９、赤外カットフィルタ２１０および撮像素子２１１は、撮像素子ユニット２２４を構成しており、この撮像素子ユニット２２４は、塵埃等が侵入し難いように、隙間が少なくなるように構成されている。なお、防塵フィルタ２０７は、ローパスフィルタ２０９や赤外カットフィルタ２１０等の他の光学素子と兼用しても良い。
【００４０】
撮像素子２１１は撮像素子駆動回路２２３に接続され、入出力回路２３９からの制御信号によって駆動制御される。撮像素子駆動回路２２３によって、撮像素子２１１から出力された光電アナログ信号が増幅され、アナログデジタル変換（ＡＤ変換）される。撮像素子駆動回路２２３はＡＳＩＣ(Application Specific Integrated Circuit  特定用途向け集積回路)２６２内の画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、ライブビュー画像処理といった各種の画像処理がなされる。
【００４１】
画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検知回路２５３が接続されている。
【００４２】
データバス２６１に接続されているボディＣＰＵ２２９は、このデジタルカメラの動作を制御するものであり、フラッシュメモリ２４９に記憶されているプログラムに従って制御を行う。またデータバス２６１に接続されている圧縮伸張回路２３１はＳＤＲＡＭ２３８に記憶された画像データをＪＰＥＧ等の静止画用の圧縮形式で圧縮し、また画像再生時に伸張するための回路である。なお、画像圧縮はＪＰＥＧに限らず、他の圧縮方法も適用できる。
【００４３】
データバス２６１に接続されたビデオ信号出力回路２３３は液晶モニタ駆動回路２３５を介して背面液晶モニタ２６に接続される。ビデオ信号出力回路２３３は、ＳＤＲＡＭ２３８、または記録媒体２４５に記憶された画像データを、背面液晶モニタ２６に表示するためのビデオ信号に変換するための回路である。
【００４４】
背面液晶モニタ２６はカメラ本体２００の背面に配置されるが、撮影者が観察できる位置であれば、背面に限らないし、また液晶に限らず他の表示装置でも構わない。ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００４５】
上述の測光処理回路２１２、測距回路２１９、圧電素子駆動回路２２０、シャッタ駆動機構２２１、可動ミラー駆動機構２２２、撮像素子駆動回路２２３、および通信端子３０１に接続される入出力回路２３９は、データバス２６１を介してボディＣＰＵ２２９等の各回路とデータの入出力を制御する。通信端子３０１は、防水プロテクタ１０内のプロテクタＣＰＵ３１０等と通信を行うための端子であり、専用端子であっても良いが、外部フラッシュ装置と接続するＸシュー部や、ＵＳＢコネクタを通信端子とて兼用しても良い。レンズＣＰＵ１１１と通信接点３００を介して接続された通信回路２４１は、データバス２６１に接続され、ボディＣＰＵ２２９等とのデータのやりとりや制御命令の通信を行う。
【００４６】
データバス２６１に接続された記録媒体制御回路２４３は、記録媒体２４５に接続され、この記録媒体２４５への画像データ等の記録の制御を行う。記録媒体２４５は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、マイクロドライブ（登録商標）などの様なハードディスクユニットや無線通信ユニットを接続可能に構成してもよい。
【００４７】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されている。ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００４８】
カメラ本体２００やレンズ鏡筒１００のパワー供給の制御を行うためのパワースイッチレバーに連動してオン・オフするパワースイッチ２５７と、シャッタレリーズ釦に連動するスイッチ、再生モードを指示する再生釦に連動するスイッチ、背面液晶モニタ２６の画面でカーソルの動きを指示する十字釦に連動するスイッチ、ライブビュー表示の切り替えを行う表示切換釦に連動するスイッチ、撮影モードを指示するモードダイヤルに連動するスイッチ、選択された各モード等を決定するＯＫ釦に連動するＯＫスイッチ、水滴除去動作を指示する水滴除去スイッチ２５６、レンズ鏡筒１００のカメラ本体への着脱状態を検知する着脱検知スイッチ２５９等の各種スイッチ２５５は、スイッチ検知回路２５３を介してデータバス２６１に接続されている。
【００４９】
なお、レリーズ釦は、撮影者が半押しするとオンする第１レリーズスイッチと、全押しするとオンする第２レリーズスイッチを有している。この第１レリーズスイッチ（以下、１ｓｔレリーズと称する）のオンによりカメラは焦点検出、撮影レンズのピントあわせ、被写体輝度の測光等の撮影準備動作を行い、第２レリーズスイッチ（以下、２ｎｄレリーズと称する）のオンにより撮像素子の出力に基づいて被写体像の画像データの取り込みを行う撮影動作を実行する。また、水滴除去スイッチ２５６は、図３に示すように、撮影者が水滴除去動作を指示するスイッチである。着脱検知スイッチ２５９は、カメラ本体２００にレンズ鏡筒１００が装着状態にあるか否かを検知するスイッチである。
【００５０】
電源電池２７０は、前述のパワースイッチ２５７のオンに応じて、カメラ本体２００およびレンズ鏡筒１００内の回路素子や駆動素子に電源を供給する。
【００５１】
防水ハウジング１０内には、プロテクタ水滴除去スイッチ１６に接続されたプロテクタＣＰＵ３１０が設けられている。このプロテクタＣＰＵ３１０は、図示しないメモリに記憶されたプログラムにしたがって防水プロテクタ１０内の制御を行う。また、プロテクタＣＰＵ３１０は、入出力回路３１１に接続されている。この入出力回路３１１は、プロテクタＣＰＵ３１０への信号の入出力を制御し、また通信端子３０１および入出力回路２３９を介して、カメラ本体２００内のボディＣＰＵ２２９と通信可能である。
【００５２】
また、入出力回路３１１は、圧電素子駆動回路３１５に接続されており、この圧電素子駆動回路３１５は、プロテクタＣＰＵ３１０からの制御信号に基づいて、フィルタ１３に固着された圧電素子１４の駆動を行う。電源電池３２０は、防水ハウジング１０に配置されているこれらの回路素子等に電源を供給する。プロテクタＣＰＵ３１０、入出力回路３１１、圧電素子駆動回路３１５等は、駆動回路基板１５（図１参照）に配置されている。
【００５３】
次に、図６及び図７を用いて水滴除去動作を行う圧電素子駆動回路３１５と、塵埃除去動作を行う圧電素子駆動回路２２０とその周辺回路について説明する。なお、圧電素子駆動回路２２０の内部は圧電素子駆動回路１０６と同様であり、図６におけるプロテクタＣＰＵ３１０を入出力回路２３９に置き換え、圧電素子１４を圧電素子２０８に置き換える以外には、同様であり、またレンズ鏡筒１００内の圧電素子１０５を振動させる圧電素子駆動回路も同様であるので、ここでは、圧電素子駆動回路３１５について説明する。また、プロテクタＣＰＵ３１０と圧電素子駆動回路３１５の間には、入出力回路３１１が配置されているが、信号の仲介だけであるので、図６においては省略している。
【００５４】
圧電素子駆動回路３１５内に配置されたＮ進カウンタ４１は、プロテクタＣＰＵ３１０内のクロックジェネレータ５５から出力されるクロックパルス（Ｓｉｇ１）を入力し、またプロテクタＣＰＵ３１０の出力ＩＯポートであるＤ_ＮＣｎｔ端子から出力されるカウンタ設定値Ｎを入力する。Ｎ進カウンタ４１はクロックパルスをカウントし、このカウント値がカウンタ設定値Ｎとなるとパルス（Ｓｉｇ２）を出力する。このパルスＳｉｇ２を入力するＤフリップフロップから構成される１／２分周回路４２は、パルスＳｉｇ２の立ち上がり信号を入力するたびに出力（Ｓｉｇ３）が反転する分周回路である。
【００５５】
１／２分周回路４２の出力端子はインバータ４３の入力端子に接続され、このインバータ４３の出力端子は、ＭＯＳトランジスタ（Ｑ０２）４４ｃのゲートに接続される。ＭＯＳトランジスタ（Ｑ０２）４４ｃのソースはトランス４５の一次側の一端に接続され、ドレインは抵抗（Ｒ００）４６を介して接地されている。また、１／２分周回路４２の出力端子はＭＯＳトランジスタ（Ｑ０１）４４ｂのゲートにも接続され、ＭＯＳトランジスタ（Ｑ０１）４４ｂのソースはトランス４５の一次側の他端に接続され、ドレインはＭＯＳトランジスタ（Ｑ０２）４４ｃのドレインに接続されている。
【００５６】
トランス４５の一次側中間タップは、電源オン・オフ用のＭＯＳトランジスタ（Ｑ００）４４ａのドレインに接続しており、このＭＯＳトランジスタ（Ｑ００）４４ａのゲートは、プロテクタＣＰＵ３１０のＩＯポートであるＰ_ＰｗＣｏｎｔ端子に接続され、このトランジスタ４４ａのソースは電源回路５３に接続されている。この電源回路５３は電源電池３２０から電源の供給を受けている。また、トランス４５の二次側の一端は、圧電素子１４の一端に接続され、トランス４５の二次側の他端は、ＭＯＳトランジスタ（Ｑ０１）４４ｂ、（Ｑ０２）４４ｃのドレインに接続されると共に、抵抗（Ｒ００）４６を介して接地されている。圧電素子１４の他端は接地されており、圧電素子１４の一端側より、トランス４５による昇圧交流電圧（Ｓｉｇ４）を受け、超音波振動を行う。
【００５７】
以上のように、圧電素子駆動回路３１５とその周辺回路は構成されている。まず、ＭＯＳトランジスタ（Ｑ００）４４ａのゲートに、プロテクタＣＰＵ３１０のＰ_ＰｗＣｏｎｔ端子からＬレベル信号が印加されると、ＭＯＳトランジスタ４４ａはｎチャネルタイプであることから、導通し、電源回路５３から電源電圧がトランス４５の一次側中間タップに印加される。
【００５８】
この状態で、プロテクタＣＰＵ３１０のクロックジェネレータ５５からクロックパルスＳｉｇ１がＮ進カウンタ４１に出力されると、Ｎ進カウンタ４１はカウントを開始し、プロテクタＣＰＵ３１０のＤ_ＮＣｎｔを介して設定された設定値Ｎまでカウントすると、出力端子からパルス信号Ｓｉｇ２を出力する。Ｎ進カウンタ４１からのパルス信号Ｓｉｇ２を入力する１／２分周回路４２によって、デューティ比が５０％のパルス信号（図７のＳｉｇ３）に変換され、このパルス信号はＭＯＳトランジスタ（Ｑ０１）４４ｂのゲートと、インバータ４３を介してＭＯＳトランジスタ（Ｑ０２）４４ｃに印加される。
【００５９】
ＭＯＳトランジスタ（Ｑ０１）４４ｂとＭＯＳトランジスタ（Ｑ０２）４４ｃは交互にオン状態となり、トランス４５の一次側には中間タップを介して電源回路５３から電源電圧が印加され、トランス４５の巻線数比に従って昇圧された電圧（図７のＳｉｇ４）が二次側から出力され、圧電素子１４に印加される。圧電素子１４に印加される高圧電圧の周波数はプロテクタＣＰＵ３１０のＤ_ＮＣｎｔ端子から設定される設定値Ｎによって変化させることができるので、圧電素子１４の共振周波数となるように設定値Ｎを決めれば効率よく水滴（塵埃）を除去することができる。共振周波数は可聴周波数を越え、例えば、超音波周波数からなる。
【００６０】
なお、本実施形態において、圧電素子駆動回路３１５と圧電素子駆動回路２２０は、同一の回路としたが、圧電素子駆動回路３１５は水滴除去用の振動を行い、圧電素子駆動回路２２０は除塵用の振動を行うので、それぞれ最適な回路となるように一部を変更しても構わない。また、Ｄ_ＮＣｎｔ端子から出力されるカウンタ設定値Ｎは、超音波振動を行うにあたって、共振周波数となるように、適宜変更するようにする。
【００６１】
次に、本実施形態における動作について、図８に示すフローチャート、図９および図１０に示すタイミングチャートを用いて説明する。動作を開始すると、まず、レリーズ釦が半押しされたか、すなわち、１ｓｔレリーズスイッチがオンか否かの判定を行う（＃１）。この判定はスイッチ検知回路２５３によって１ｓｔレリーズスイッチの状態を検出することにより行う。
【００６２】
ステップ＃１における判定の結果、１ｓｔレリーズスイッチがオンとなると（図９、図１０におけるタイミングｔ０１）、測距を行う（＃３）。このステップでは、測距センサ２１８および測距回路２１９等において、位相差ＡＦにより焦点ズレ方向および焦点ズレ量を求める。測距を行うと、次に、フォーカスレンズ駆動を行う（＃５、タイミングｔ０２）。このステップでは、ステップ＃３において求めた焦点ズレ方向および焦点ズレ量を用いて、レンズＣＰＵ１１１および光学系駆動機構１０７によって撮影光学系１０１のピント合わせを行う。
【００６３】
ステップ＃５においてフォーカスレンズ駆動を行いピントが合うと、次に、合焦表示をオンする（＃７、タイミングｔ０３）。このステップでは、光学ファインダ中の合焦表示部材や、ライブビュー表示中であれば液晶モニタ２６上に合焦表示を行う。また、合焦表示を行うと共に、レンズ水滴除去を開始し、またタイマをスタートする（＃９）。レンズ水滴除去は、ボディＣＰＵ２２９よりプロテクタＣＰＵ３１０にレンズ水滴除去の指示を行い、プロテクタＣＰＵ３１０は圧電素子駆動回路３１５を駆動し、圧電素子１４を超音波振動させることにより、フィルタ１３の表面に振動波を発生させることにより行う。
【００６４】
続いて、水滴除去タイマオーバか否かの判定を行う（＃１１）。レンズ水滴除去動作はフィルタ１３に付着した水滴を除去するに十分な所定時間を行うので、このステップではステップ＃９において水滴除去動作を開始してから所定時間が経過したか否かの判定を行う。この判定の結果、所定時間が経過していなかった場合には、レリーズ釦が全押しされたか、すなわち、２ｎｄレリーズスイッチがオンか否かの判定を行う（＃１５）。この判定はスイッチ検知回路２５３によって２ｎｄレリーズスイッチの状態を検出することにより行う。
【００６５】
ステップ＃１５における判定の結果、２ｎｄレリーズスイッチがオンでなかった場合には、ステップ＃１と同様に、１ｓｔレリーズスイッチがオンか否かの判定を行う（＃１７）。この判定の結果、１ｓｔレリーズスイッチがオンの場合には、ステップ＃１１に戻り、水滴除去がタイムオーバしたか否かの判定を行い、タイムオーバしていなければ、水滴除去を行いながら、２ｎｄレリーズスイッチの状態と１ｓｔレリーズスイッチの状態を検出する待機状態となる。
【００６６】
ステップ＃１１における判定の結果、タイムオーバすると（ｔ０４のタイミング）、レンズ水滴除去の動作を停止する（＃１３）。このステップでは、ボディＣＰＵ２２９からプロテクタＣＰＵ３１０に水滴除去動作の停止を指示し、プロテクタＣＰＵ３１０は圧電素子駆動回路３１５による振動を停止する。レンズ水滴除去動作を停止すると、ステップ＃１５に進み、判定の結果、２ｎｄレリーズスイッチがオンでなければ、ステップ＃１７に進み１ｓｔレリーズスイッチの判定を行う。この判定の結果、１ｓｔレリーズスイッチがオフであった場合には、ステップ＃１に戻る。この場合はレリーズ釦から撮影者の指が離れた状態であることから、最初に戻るようにしている。
【００６７】
ステップ＃１における判定の結果、１ｓｔレリーズがオフであった場合には、次に、水滴除去スイッチがオンか否かの判定を行う（＃２１）。防水ハウジング１０の外側からプロテクタ水滴除去スイッチ１６を押圧すると、カメラ本体２００に配設された水滴除去スイッチ２５６がオンとなるので、このステップでは、水滴除去スイッチ２５６がオンとなったか否かの判定を行う。
【００６８】
ステップ＃２１における判定の結果、水滴除去スイッチがオフの場合には、ステップ＃１に戻る。一方、判定の結果、水滴除去スイッチがオンとなった場合には（ｔ０６のタイミング）、ステップ＃９と同様に、レンズ水滴除去動作を開始すると共に、タイマをスタートする（＃２３）。続いて、ステップ＃１１と同様に、水滴除去タイムがオーバしたか否かを判定する（＃２５）。この判定の結果、タイムオーバしていなかった場合には、ステップ＃１７と同様に、１ｓｔレリーズがオンか否かの判定を行う（＃２７）。
【００６９】
ステップ＃２７における判定の結果、１ｓｔレリーズがオフの場合には、ステップ＃２５に戻り、所定時間が経過するまで、ステップ＃２５と＃２７を交互に判定する待機状態となる。一方、ステップ＃２７における判定の結果、１ｓｔレリーズがオンとなった場合には、ステップ＃３に進み、前述の動作を実行する。
【００７０】
ステップ＃２５における判定の結果、タイムオーバした場合には（ｔ０７のタイミング）、ステップ＃１３と同様に、レンズ水滴除去動作を停止する（＃２９）。水滴除去動作を停止すると、ステップ＃１に戻る。
【００７１】
ステップ＃１５における判定の結果、２ｎｄレリーズがオンとなると（タイミングｔ１１）、ステップ＃３１以下において、撮影動作に移る。まず、レンズ水滴除去動作を停止し（＃３１）、合焦表示をオフにする（＃３３）。図９に示した例では、１ｓｔレリーズがオンとなってから、２ｎｄレリーズがオンとなるまでに、十分な時間があることから、レンズ水滴除去動作が終了している。しかし、図１０に示した例では、１ｓｔレリーズがオンとなってから、２ｎｄレリーズがオンとなるまでに十分な時間がないことから、ステップ＃３１においてレンズ水滴除去動作を停止している。
【００７２】
合焦表示をオフとすると、次に、ミラーアップと絞り込みを行う（＃３５、タイミングｔ１２）。このステップでは、レンズＣＰＵ１１１に絞り込み指示を出し、絞り駆動機構１０９によって絞り１０３の絞り込みを行う。また、可動ミラー駆動機構２２２によって可動ミラー２０１を上昇させ、撮影光学系１０１の光軸から退避させる。
【００７３】
これで、撮影動作の準備ができたので、次に、露光を行う（＃３９、タイミングｔ１３）。露光動作は、シャッタ駆動機構２２１によってシャッタ２１３のシャッタ先幕の走行を開始させる。そして、予め演算により求められた適正露光となるシャッタ秒時（露光時間）または手動設定されたシャッタ秒時が経過すると、シャッタ後幕を走行させる。なお、被写体が暗い場合等にはシャッタ先幕走行完了時等に内蔵フラッシュ６０による補助照明を行う。
【００７４】
露光動作が終わると（タイミングｔ１４）、ミラーダウンと絞り開放を行う（＃４１）。このステップでは、可動ミラー駆動機構２２２によって可動ミラー２０１を下降させ（タイミングｔ１５）、再び撮影光学系１０１からの被写体光束をファインダ光学系に導く。また、レンズＣＰＵ１１１に指示し、絞り駆動機構１０９によって絞り１０３を開放状態に駆動する。ミラーダウン、絞り開放を行うと、メインルーチンに戻る。
【００７５】
このように、本実施形態においては、防水ハウジング１０のレリーズボタン１７を操作し、カメラ本体２００のレリーズボタン６１を押圧することによって、１ｓｔレリーズ操作を行う。自動焦点調節動作が行われ合焦状態となると、防水ハウジング１０のフィルタ１３を振動させて水滴除去動作を実行している。このため、デジタルカメラを防水ハウジング１０内に収納した状態であっても、防水ハウジング１０の外部から１ｓｔレリーズ操作を行うことにより、簡単に水滴除去動作を実行させることができる。
【００７６】
また、本実施形態においては、防水ハウジング１０に設けられたプロテクタ水滴除去スイッチ１６を操作すると、カメラ本体２００に設けられた水滴除去スイッチ２５６がオンとなり、水滴除去動作を実行させることができる。このため、撮影者が意図する任意のタイミングで、簡単に水滴除去動作を実行させることができる。
【００７７】
さらに、本実施形態においては、２ｎｄレリーズ操作が行われると、所定時間が経過していなくても、レンズ水滴除去動作を停止している。このため、撮影動作の直前まで水滴除去を行うとともに、撮影動作に入ると、水滴除去動作を停止するので、画像への悪影響を防止することができる。
【００７８】
なお、図８のフローにおいて、合焦時やプロテクタ水滴除去スイッチ１６が操作された場合に、防水プロテクタ１０内の圧電素子１４を振動させていたが、この場合、レンズ鏡筒１００内の圧電素子１０５については特に振動を禁止していない。しかし、電源浪費を防止するために、防水プロテクタ１０を装着した場合には、圧電素子１０５の振動を禁止するようにしても勿論かまわない。また、防水プロテクタ１０を装着して水中に潜ってしまった場合には、水滴除去動作は無意味であることから、水圧計等、水深を測定できる素子を設け、所定以上の深さの水中にある場合には、水滴除去動作を禁止するようにしても良い。
【００７９】
次に、図８に示した本実施形態のフローの変形例を、図１１を用いて説明する。本発明の一実施形態においては、２ｎｄレリーズがオンとなった際に、レンズ水滴除去動作を停止していたが、本変形例においては、２ｎｄレリーズ操作がなされて際に、レンズ水滴除去動作を開始し、露光動作が開始する前にレンズ水滴除去動作を停止するようにしている。本変形例のフローは、図８のフローにおいて合焦時のレンズ水滴除去動作（＃９〜＃１３）を省略し、２ｎｄレリーズ後にレンズ水滴除去動作（＃３６〜＃３８）を実行している。これ以外は図８のフローと同様であるので、追加したステップ＃３６〜＃３８のレンズ水滴除去動作を説明する。
【００８０】
ステップ＃１５において、２ｎｄレリーズスイッチがオンとなると、ミラーアップと絞り込みを開始する（＃３５）。続いて、レンズ水滴除去動作を開始し（＃３６）、水滴除去タイムオーバか否かの判定を行う（＃３７）。本変形例においては、ステップ＃３７における所定時間としては、ミラーアップや絞り込みに要する時間より短い時間とする。ステップ＃３７における判定の結果、タイムオーバでなかった場合には、タイムオーバとなるのを待つ。所定時間が経過し、判定の結果、タイムオーバとなると、レンズ水滴除去動作を停止する（＃３８）。この後は、図８のフローと同様、露光動作を行い（＃３９）、ミラーダウンと絞り開放を行い（＃４１）、元のフローに戻る。
【００８１】
このように、本変形例においては、露光動作に入る直前に行われるミラーアップや絞り込みの時間を利用し、その間にレンズ水滴除去動作を実行している。このため、露光動作の直前で水滴除去を行うことができ、水滴による画質の劣化を防止することができる。
【００８２】
なお、本変形例においては、合焦時に水滴除去動作を省略していたが、一実施形態と同様、合焦時に水滴除去動作を実行しても構わない。この場合、図８のステップ＃３１では水滴除去動作を停止していたが、このステップは省略しても良い。
【００８３】
以上説明したように、本発明の一実施形態や変形例においては、防水ハウジング１０に透明窓（フィルタ１３）を設け、この透明窓に水滴を飛散させるための圧電素子１４等の加振手段を設けている。このため、水面付近でも水滴による影響を受けない防水ハウジングシステムや防水ハウジングを提供することができる。本実施形態においては、カメラに水滴除去機能を有していたが、このような機能を有していないカメラであっても、防水ハウジング１０に格納することにより、水面付近でも水滴による影響を防止できる。
【００８４】
また、本実施形態や変形例においては、水滴除去動作を常時実行しておらず、合焦時等やプロテクタ水滴除去スイッチ１６等が操作された場合等、必要な場合にのみ水滴除去動作を実行するようにしている。このため、電源の浪費を防止することができる。
【００８５】
さらに、本実施形態や変形例においては、レンズ鏡筒１００内に設けられている圧電素子１０５を駆動するための制御信号を、防水ハウジング１０内のプロテクタＣＰＵ３１０に出力している。このため、特別に信号処理を行う必要がない。
【００８６】
なお、本実施形態においては、合焦時に水滴除去動作を実行していたが、これに限らず、たとえば、１ｓｔレリーズが操作された際に、まず水滴除去動作を実行し、水滴除去がなされた後に合焦動作を実行するようにしても良く、そのタイミングは任意に変更しても良い。
【００８７】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【００８８】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００８９】
１０・・・防水ハウジング、１１・・・ボディ部ハウジング、１２・・・レンズ部ハウジング、１３・・・フィルタ、１４・・・圧電素子、１５・・・駆動回路基板、１６・・・プロテクタ水滴除去スイッチ、１７・・・レリーズ釦、１８・・・支持部、１９・・・フィルタ押さえリング、２６・・・液晶モニタ、２７・・・本体基板、４１・・・Ｎ進カウンタ、４２・・・１／２分周回路、４３・・・インバータ、４４・・・ＭＯＳトランジスタ、４５・・・トランス、４６・・・抵抗、５３・・・電源回路、５５・・・クロックジェネレータ、６０・・・内蔵フラッシュ、６１・・・レリーズ釦、１００・・・レンズ鏡筒、１０１・・・撮影光学系、１０１ａ・・・第１群レンズ、１０１ｂ・・・第２群レンズ、１０３・・・絞り、１０５・・・圧電素子、１０７・・・光学系駆動機構、１０９・・・絞り駆動機構、１１０・・・レンズ基板、１１１・・・レンズＣＰＵ、２００・・・カメラ本体、２０１・・・可動反射ミラー、２０２・・・サブミラー、２０３・・・フォーカシングスクリーン、２０４・・・ペンタプリズム、２０５・・・接眼光学系、２０６・・・測光センサ、２０７・・・防塵フィルタ、２０８・・・圧電素子、２０９・・・光学的ローパスフィルタ、２１０・・・赤外カットフィルタ、２１１・・・撮像素子、２１２・・・測光処理回路、２１３・・・シャッタ、２１７・・・測距ユニット、２１８・・・測距センサ、２１９・・・測距回路、２２０・・・圧電素子駆動回路、２２１・・・シャッタ駆動機構、２２２・・・可動ミラー駆動機構、２２３・・・撮像素子駆動回路、２２４・・・撮像素子ユニット、２２７・・・画像処理回路、２２９・・・ボディＣＰＵ、２３１・・・圧縮伸張回路、２３３・・・ビデオ信号出力回路、２３５・・・液晶モニタ駆動回路、２３７・・・ＳＤＲＡＭ制御回路、２３８・・・ＳＤＲＡＭ、２３９・・・入出力回路、２４１・・・通信回路、２４３・・・記録媒体制御回路、２４５・・・記録媒体、２４７・・・フラッシュメモリ制御回路、２４９・・・フラッシュメモリ、２５３・・・スイッチ検出回路、２５５・・・各種スイッチ、２５６・・・水滴除去スイッチ、２５７・・・パワースイッチ、２５９・・・着脱検知スイッチ、２６１・・・データバス、２６２・・・ＡＳＩＣ、２７０・・・電源電池、３００・・・通信接点、３０１・・・通信接点、３１０・・・プロテクタＣＰＵ、３１１・・・入出力回路、３１５・・・圧電素子駆動回路、３２０・・・電源電池
【図１】
2010271435.tif 000003
【図２】
2010271435.tif 000004
【図３】
2010271435.tif 000005
【図４】
2010271435.tif 000006
【図５】
2010271435.tif 000007
【図６】
2010271435.tif 000008
【図７】
2010271435.tif 000009
【図８】
2010271435.tif 000010
【図９】
2010271435.tif 000011
【図１０】
2010271435.tif 000012
【図１１】
2010271435.tif 000013